(57)【要約】【課題】 外輪および／または内輪の軸方向寸法を小さくして軽量化するとともに、外輪アッシーおよび内輪アッシーの積み重ね状態からの下からの取出し性の低下を防止したアンギュラ玉軸受を提供する。【解決手段】  外輪2の上面が保持器5の大径環状部8の端面よりも軸方向内方に位置させられるとともに、保持器5の大径環状部8側端面の外径が外輪2の下面の内径より大きくなされ、保持器5の大径環状部8側端面および外輪2の下面に、外輪アッシー6A,6Bの積み重ね状態からの下からの取出し性を容易とする面取り部8b,2dがそれぞれ設けられている。【選択図】    図１
2008039070.tif 000002
【特許請求の範囲】
【請求項１】
外輪、内輪、両輪の間に配置された複数の玉、およびこれらの玉を保持する保持器を備えており、保持器が一端側と他端側で異なる径の端面を有し、玉および保持器が外輪に組み込まれた外輪アッシー状態で積み重ねられるアンギュラ玉軸受において、
外輪の一端面が保持器の大径の端面よりも軸方向内方に位置させられるとともに、保持器の大径側端面の外径が外輪の他端面の内径より大きくなされ、保持器の大径側端面角部および外輪の他端面角部の少なくとも一方に、外輪アッシーの積み重ね状態からの下からの取出し性を容易とする面取り部が設けられていることを特徴とするアンギュラ玉軸受。
【請求項２】
外輪、内輪、両輪の間に配置された複数の玉、およびこれらの玉を保持する保持器を備えており、保持器が一端側と他端側で異なる径の端面を有し、玉および保持器が内輪に組み込まれた内輪アッシー状態で積み重ねられるアンギュラ玉軸受において、
内輪の一端面が保持器の小径の端面よりも軸方向内方に位置させられるとともに、保持器の小径側端面の内径が内輪の他端面の外径より小さくなされ、保持器の小径側端面角部および内輪の他端面角部の少なくとも一方に、内輪アッシーの積み重ね状態からの下からの取出し性を容易とする面取り部が設けられていることを特徴とするアンギュラ玉軸受。
【発明の詳細な説明】
【技術分野】
【０００１】
この発明は、アンギュラ玉軸受に関し、特に、わん形の保持器と組み合わされたアンギュラ玉軸受に関する。
【背景技術】
【０００２】
外輪、内輪、両輪の間に配置された複数の玉、およびこれらの玉を保持する保持器を備えているアンギュラ玉軸受は、よく知られている。そして、その保持器として、特許文献１には、わん形と称されるものが開示されており、このわん形保持器とアンギュラ玉軸受との組合せは、好ましい実施形態として広く使用されている。
【０００３】
各種転がり軸受において、軽量化が求められており、アンギュラ玉軸受については、外輪および／または内輪の軸方向寸法を小さくして、軽量化することが考えられる。一方、アンギュラ玉軸受では、その組立て工程で、外輪アッシーまたは内輪アッシーの状態で積み重ねられた後、下から外輪アッシーまたは内輪アッシーを抜き出す場合がある。
【０００４】
軽量化したアンギュラ玉軸受において、玉(34)およびわん形保持器(35)が外輪(32)に組み込まれた外輪アッシー(36A)(36B)の積み重ね状態（図示は２段だけ）を図３に示す。わん形保持器(35)は、軸方向に所定間隔をおいて配置された大径および小径の環状部(38)(39)と、周方向に所定間隔をおいて設けられて両環状部(38)(39)間を連結する複数の傾斜状柱部(40)とからなり、隣り合う１対の柱部(40)とこれらの両側にある環状部(38)(39)の部分とによって、玉(34)を収容するためのポケット(41)が形成されている。
【特許文献１】特開２００４−５２７８５号公報
【発明の開示】
【発明が解決しようとする課題】
【０００５】
上記図３に示したアンギュラ玉軸受によると、外輪アッシー(36A)(36B)の積み重ね状態から下から外輪アッシー(36A)を抜き出す場合、下段の外輪アッシー(36A)の保持器(35)の大径環状部(38)が上段の外輪アッシー(36B)の外輪(32)の内径に嵌まり込むことにより、抜き出せなくなるという問題がある。図示省略したが、内輪アッシーでも同様の問題がある。
【０００６】
この発明の目的は、わん形保持器を使用したアンギュラ玉軸受において、外輪および／または内輪の軸方向寸法を小さくして軽量化するとともに、外輪アッシーおよび内輪アッシーの積み重ね状態からの下からの取出し性の低下を防止したアンギュラ玉軸受を提供することにある。
【課題を解決するための手段】
【０００７】
第１の発明によるアンギュラ玉軸受は、外輪、内輪、両輪の間に配置された複数の玉、およびこれらの玉を保持する保持器を備えており、保持器が一端側と他端側で異なる径の端面を有し、玉および保持器が外輪に組み込まれた外輪アッシー状態で積み重ねられるアンギュラ玉軸受において、外輪の一端面が保持器の大径の端面よりも軸方向内方に位置させられるとともに、保持器の大径側端面の外径が外輪の他端面の内径より大きくなされ、保持器の大径側端面角部および外輪の他端面角部の少なくとも一方に、外輪アッシーの積み重ね状態からの下からの取出し性を容易とする面取り部が設けられていることを特徴とするものである。
【０００８】
第２の発明によるアンギュラ玉軸受は、外輪、内輪、両輪の間に配置された複数の玉、およびこれらの玉を保持する保持器を備えており、保持器が一端側と他端側で異なる径の端面を有し、玉および保持器が内輪に組み込まれた内輪アッシー状態で積み重ねられるアンギュラ玉軸受において、内輪の一端面が保持器の小径の端面よりも軸方向内方に位置させられるとともに、保持器の小径側端面の内径が内輪の他端面の外径より小さくなされ、保持器の小径側端面角部および内輪の他端面角部の少なくとも一方に、内輪アッシーの積み重ね状態からの下からの取出し性を容易とする面取り部が設けられていることを特徴とするものである。
【０００９】
一端側と他端側で異なる径の端面を有する保持器は、わん形保持器と称されているもので、軸方向に所定間隔をおいて配置された大径および小径の環状部と、周方向に所定間隔をおいて設けられて両環状部間を連結する複数の傾斜状柱部とを有している。この保持器を使用したアンギュラ玉軸受では、軽量化を目的として、外輪軸方向寸法の低減（外輪の一端面を保持器の端面よりも軸方向内方に位置させる）または内輪軸方向寸法の低減（内輪の一端面を保持器の端面よりも軸方向内方に位置させる）を行って、その外輪アッシー（外輪の軌道面に玉を保持器により脱落しないように装着して予め組み立てられたもの）または内輪アッシー（内輪の軌道面に玉を保持器により脱落しないように装着して予め組み立てられたもの）を積み重ね、次工程において下から順に取り出す場合に、保持器の大径の環状部が外輪内径と保持器の小径の環状部との間に嵌まり込んで抜き出しにくくなるという問題がある。
【００１０】
第１の発明によるアンギュラ玉軸受は、外輪アッシーでの積み重ね状態からの抜き出し性を向上させたもので、保持器の大径側端面の外径が外輪の他端面の内径より大きくなされることにより、保持器の大径の環状部が外輪内径と保持器の小径の環状部との間に嵌まり込むことが防止され、さらに、保持器の大径側端面角部および外輪の他端面角部の少なくとも一方に面取り部が設けられることによって、外輪アッシーの積み重ね状態からの下からの取出し性が容易となる。
【００１１】
なお、外輪の一端は、カウンタボアが形成されることで他端に比べて大径とされ、外輪の反カウンタボア側端面は、保持器の小径の端面と積み重ねた時に面一とされ、この面一の面が積み重ね時の下面とされる。外輪の反カウンタボア側端面と保持器の小径の端面とを積み重ねた時に面一にするには、保持器の小径側を肉厚にしてもよく、玉の軸方向中心を外輪の反カウンタボア側端面に近づけるようにしてもよい。保持器の大径側端面の外径を外輪の他端面（反カウンタボア側端面）の内径より大きくするには、基準の寸法に対して、保持器の大径側端面の外径を大きくしてもよく、外輪の他端面の内径を小さくしてもよい。面取り部は、保持器の大径側端面角部および外輪の他端面角部の両方に設けられることが好ましく、また、保持器の大径側端面の外径と外輪の他端面の内径との差の半分（重ね合わせ代）を超えない範囲でできるだけ大きく取ることが好ましい。
【００１２】
第２の発明によるアンギュラ玉軸受は、内輪アッシーでの積み重ね状態からの抜き出し性を向上させたもので、保持器の小径側端面の内径が内輪の他端面の外径より小さくなされることにより、保持器の小径の環状部が内輪外径と保持器の大径の環状部との間に嵌まり込むことが防止され、保持器の小径側端面角部および内輪の他端面角部の少なくとも一方に面取り部が設けられることによって、内輪アッシーの積み重ね状態からの下からの取出し性が容易となる。
【００１３】
なお、内輪の一端は、カウンタボアが形成されることで他端に比べて小径とされ、内輪の反カウンタボア側端面が保持器の大径の端面と積み重ねた時に面一とされ、この面一の面が積み重ね時の下面とされる。内輪の反カウンタボア側端面と保持器の大径の端面とを積み重ねた時に面一にするには、保持器の大径側を肉厚にしてもよく、玉の軸方向中心を内輪の反カウンタボア側端面に近づけるようにしてもよい。保持器の小径側端面の内径を内輪の他端面（反カウンタボア側端面）の外径より小さくするには、基準の寸法に対して、保持器の小径側端面の内径を小さくしてもよく、内輪の他端面の外径を大きくしてもよい。面取り部は、保持器の小径側端面角部および内輪の他端面角部の両方に設けられることが好ましく、また、内輪の他端面の外径と保持器の小径側端面の内径との差の半分（重ね合わせ代）を超えない範囲でできるだけ大きく取ることが好ましい。
【００１４】
アンギュラ玉軸受は、単列で外輪アッシーまたは内輪アッシーの状態で保持されるものであれば、その型（外輪非分離型、内外輪分離型など）は限定されるものではなく、また、外輪、内輪および玉の材料についても、限定されるものではない。保持器は、例えば、ポリアミド、ＰＥＥＫなどの合成樹脂を射出成形して形成されたものとされるが、その材料および成形方法は限定されるものではない。
【発明の効果】
【００１５】
この発明のアンギュラ玉軸受によると、外輪または内輪の軸方向寸法を低減することで軽量化が可能であり、この軽量化の際に悪化の懸念がある外輪アッシーまたは内輪アッシーの積み重ね状態からの下からの取出し性は、重ね面での保持器と外輪または内輪との径の差および重ね面にある角部に面取り部が設けられることによって維持される。
【発明を実施するための最良の形態】
【００１６】
この発明の実施の形態を、以下図面を参照して説明する。以下の説明において、上下は図の上下をいうものとする。
【００１７】
図１は、第１の発明によるアンギュラ玉軸受の１実施形態を示している。アンギュラ玉軸受は、軸方向に所定間隔をおいて配置された大径および小径の環状部(8)(9)と、周方向に所定間隔をおいて設けられて両環状部(8)(9)間を連結する複数の傾斜状柱部(10)とからなるわん形保持器(5)を備えており、軽量化と玉(4)およびわん形保持器(5)が外輪(2)に組み込まれた外輪アッシー(6A)(6B)状態で積み重ねられることとが考慮されて、外輪(2)の一端面（上端面）は、保持器(5)の大径の環状部(8)端面よりも軸方向内方（下方）に位置させられているとともに、外輪(2)の他端面（下端面）は、保持器(5)の小径環状部(9)の端面（下端面）と積み重ねた時に面一になされている。そして、保持器(5)の大径環状部(8)の外径が外輪(2)の下端面の内径より大きくなされることにより、外輪アッシー(6A)(6B)状態で積み重ねられた場合に、保持器(5)の大径環状部(8)端面と外輪(2)の下端面との間には、保持器(5)の大径環状部(8)の外径と外輪(2)の下端面の内径との差の半分に相当する重ね合わせ代が形成されるようになされている。さらに、互いに重ね合わされた保持器(5)の大径環状部(8)の端面角部および外輪(2)の下端面角部には、積み重ね状態からの下からの取出し性を容易とする面取り部(8b)(2d)がそれぞれ設けられている。
【００１８】
図１において符号(6A)(6B)で示している外輪アッシーは、外輪(2)の軌道面(2a)に玉(4)を保持器(5)により脱落しないように装着して組み立てられたもので、各玉(4)は、保持器(5)の各ポケット(11)内に嵌め込まれて、抜け出ないようになっている。
【００１９】
外輪(2)の軌道面は、いわゆるカウンタボアとされており、保持器(5)の大径環状部(8)に対応する端部（カウンタボア側端部）(2b)の径が保持器(5)の小径環状部(9)に対応する端部（反カウンタボア側端部）(2c)の径よりも大径とされている。
【００２０】
図３に示した外輪アッシー(36A)(36B)と比べると、外輪(2)については、端面と内径面とがほぼ直角をなしていた反カウンタボア側端部(2c)の端面内径部分が面取り部(2d)とされている。そして、保持器(5)については、端面と外径面とが直角をなしている従来の大径環状部(38)に最大径部分(8a)が付加されることでその大径環状部(8)が形成され、かつ付加された最大径部分(8a)の端面外径角部が面取り部(8b)とされている。
【００２１】
このように構成された外輪アッシー(6A)(6B)では、外輪アッシー(6A)(6B)同士を外輪(2)の反カウンタボア側端部(2c)を下にして積み重ねた際には、上段の外輪アッシー(6B)の外輪(2)と下段の外輪アッシー(6A)の保持器(5)とがその重ね合わせ代部分で接触し、上段の外輪アッシー(6B)が水平から若干傾いたり下段の外輪アッシー(6A)に対して若干偏心した状態で積み重ねられたとしても、下段の外輪アッシー(6A)の保持器(5)の大径環状部(8)が上段の外輪アッシー(6B)の外輪(2)内径と保持器(5)の小径環状部(9)との間に嵌まり込むことはなく、積み重ね状態からの下からの取出し性が阻害されることはない。また、保持器(5)の大径環状部(8)の端面角部および外輪(2)の下端面角部に面取り部(8b)(2d)があることにより、保持器(5)の角と外輪(2)の角とが当たって引っかかることがなく、スムーズに引く抜くことができる。
【００２２】
図２は、第２の発明によるアンギュラ玉軸受の１実施形態を示している。アンギュラ玉軸受は、軸方向に所定間隔をおいて配置された大径および小径の環状部(18)(19)と、周方向に所定間隔をおいて設けられて両環状部(18)(19)間を連結する複数の傾斜状柱部(20)とからなるわん形保持器(15)を備えており、軽量化と玉(14)およびわん形保持器(15)が内輪(13)に組み込まれた内輪アッシー(7A)(7B)状態で積み重ねられることとが考慮されて、内輪(13)の一端面（上端面）は、保持器(15)の小径の環状部(19)端面よりも軸方向内方（下方）に位置させられているとともに、内輪(13)の他端面（下端面）は、保持器(15)の大径環状部(18)の端面（下端面）と積み重ねた時に面一になされている。そして、保持器(15)の小径環状部(19)の内径が内輪(13)の下端面の外径より小さくなされることにより、内輪アッシー(7A)(7B)状態で積み重ねられた場合に、保持器(15)の小径環状部(19)の端面と内輪(13)の下端面との間には、内輪(13)の下端面の外径と保持器(15)の小径環状部(19)の内径との差の半分に相当する重ね合わせ代が形成されるようになされている。さらに、互いに重ね合わされた保持器(15)の小径環状部(19)の端面角部および内輪(13)の下端面の角部に、積み重ね状態からの下からの取出し性を容易とする面取り部(19b)(13d)がそれぞれ設けられている。
【００２３】
図２において符号(7A)(7B)で示している内輪アッシーは、内輪(13)の軌道面(13a)に玉(14)を保持器(15)により脱落しないように装着して組み立てられたもので、各玉(14)は、保持器(15)の各ポケット(21)内に嵌め込まれて、抜け出ないようになっている。
【００２４】
内輪(13)の軌道面は、いわゆるカウンタボアとされており、保持器(15)の小径環状部(19)に対応する端部（カウンタボア側端部）(13b)の径が保持器(15)の大径環状部(18)に対応する端部（反カウンタボア側端部）(13c)の径よりも小径とされている。
【００２５】
従来の内輪アッシーと比べると、内輪(13)については、端面と外径面とがほぼ直角をなしていた反カウンタボア側端部(13c)の端面外径部分が面取り部(13d)とされている。そして、保持器(15)については、端面と内径面とが直角をなしている従来の小径環状部(39)（図３参照）に最小径部分(19a)が付加されることでその小径環状部(19)が形成され、かつ付加された最小径部分(19a)の端面内径角部が面取り部(19b)とされている。
【００２６】
このように構成された内輪アッシー(7A)(7B)では、内輪アッシー(7A)(7B)同士を内輪(13)の反カウンタボア側端部(13c)を下にして積み重ねた際には、上段の内輪アッシー(7B)の内輪(13)と下段の内輪アッシー(7A)の保持器(15)とがその重ね合わせ代部分で接触し、上段の内輪アッシー(7B)が水平から若干傾いたり下段の内輪アッシー(7A)に対して若干偏心した状態で積み重ねられたとしても、下段の内輪アッシー(7A)の保持器(15)の小径環状部(19)が上段の内輪アッシー(7B)の内輪(13)外径と保持器(15)の大径環状部(18)との間に嵌まり込むことはなく、積み重ね状態からの下からの取出し性が阻害されることはない。また、保持器(15)の小径環状部(19)の端面角部および内輪(13)の下端面の角部に面取り部(19b)(13d)があることにより、保持器(15)の角と内輪(13)の角とが当たって引っかかることがなく、スムーズに引く抜くことができる。
【００２７】
上記において、外輪アッシー(6A)(6B)と組み合わされる内輪および内輪アッシー(7A)(7B)と組み合わされる外輪については、図示省略したが、種々の形状のものが使用可能であり、外輪アッシー(6A)(6B)の外輪(2)および内輪アッシー(7A)(7B)の内輪(13)についても、図示した以外の形状とすることができる。
【図面の簡単な説明】
【００２８】
【図１】図１は、第１の発明によるアンギュラ玉軸受の実施形態を示す縦断面図である。
【図２】図２は、第２の発明によるアンギュラ玉軸受の実施形態を示す縦断面図である。
【図３】図３は、第１の発明によるアンギュラ玉軸受の比較例となるアンギュラ玉軸受の縦断面図である。
【符号の説明】
【００２９】
(2)         外輪
(2d)        面取り部
(13)        内輪
(13d)       面取り部
(4)(14)     玉
(5)(15)     保持器
(6A)(6B)    外輪アッシー
(7A)(7B)    内輪アッシー
(8)(18)     大径環状部
(8b)        面取り部
(9)(19)     小径環状部
(19b)       面取り部
【図１】
2008039070.tif 000003
【図２】
2008039070.tif 000004
【図３】
2008039070.tif 000005